(57)【要約】【課題】ドレン供給ポンプのキャビテーションの発生を抑制できる給水制御装置を提供すること。【解決手段】ボイラ１１と、ドレンを大気に開放することなく回収するドレンタンク２０と、ドレンタンク２０に回収されたドレンをボイラ１１に供給するドレン供給ラインＬ３と、ドレン供給ラインＬ３に配置され、ドレンタンク２０からドレンを送出するドレン供給ポンプと３１及びドレンの流れやすさを定める状態量を設定可能な流量調節機構３２と、ドレンの流量を検出する流量検出部３３と、を備えるボイラシステム１の給水を制御する給水制御装置２００は、流量検出部３３により検出された流量が設定された流量目標値に近づくように流量調節機構３２の状態量をフィードバック制御する流量制御部２２０を備え、流量制御部２２０は、流量目標値が変更された場合に、流量調節機構３２の状態量を設定された初期値に合わせてからフィードバック制御を開始する。【選択図】図１
2020165614.tif 000002
【特許請求の範囲】
【請求項１】
蒸気を生成して負荷機器に供給するボイラと、
前記負荷機器において蒸気が凝縮して生じたドレンを大気に開放することなく回収するドレンタンクと、
前記ドレンタンクに回収された前記ドレンを前記ボイラに供給するドレン供給ラインと、
前記ドレン供給ラインに配置され、前記ドレンタンクから前記ドレンを送出するドレン供給ポンプと、
前記ドレン供給ラインに配置され、前記ドレンの流れやすさを定める状態量を設定可能な流量調節機構と、
前記ドレンの流量を検出する流量検出部と、
を備えるボイラシステムの給水を制御する給水制御装置であって、
前記流量検出部により検出された流量が設定された流量目標値に近づくように前記流量調節機構の状態量をフィードバック制御する流量制御部を備え、
前記流量制御部は、前記流量目標値が変更された場合に、前記流量調節機構の状態量を設定された初期値に合わせてから前記フィードバック制御を開始する、給水制御装置。
【請求項２】
前記流量制御部は、前記流量目標値が変更された場合に、前記ボイラの運転圧力に応じて前記初期値を定める、請求項１に記載の給水制御装置。
【請求項３】
前記流量制御部は、前記流量目標値が変更された場合に、前記ボイラの設定燃焼量に応じて前記初期値を定める、請求項１又は２に記載の給水制御装置。
【請求項４】
前記流量制御部は、前記ボイラに前記ドレン供給ラインから前記ドレンを供給せず、前記ボイラに補給水を供給する補給水供給ラインから補給水を供給する状態から、前記ドレン供給ラインから前記ドレンを供給し、前記補給水供給ラインから補給水を供給しない状態に切り替えられた場合に、前記流量調節機構の状態量を前記初期値に合わせてから前記フィードバック制御を開始する、請求項１から３のいずれかに記載の給水制御装置。
【発明の詳細な説明】
【技術分野】
【０００１】
本発明は、給水制御装置に関する。
【背景技術】
【０００２】
ボイラにより蒸気を生成して負荷機器に供給し、負荷機器で蒸気が凝縮して生成されるドレンをドレンタンクに回収してボイラに再供給するボイラシステムが利用されている。このようなボイラシステムにおいて熱効率を向上するために、例えば特許文献１に記載されるように、ドレンタンクを加圧状態とし、高温高圧のドレンを回収してボイラ装置に再供給するボイラシステムが提案されている。
【０００３】
特許文献１に記載のボイラシステムは、ドレン供給ポンプ及びドレン流量調節弁を有し、ドレンタンクに収容されたドレンを複数のボイラを有するボイラ装置に供給するドレン供給ラインと、ボイラ装置に新水を供給する新水供給ラインと、を備える。特許文献１に記載のボイラシステムは、ドレン供給ラインからのドレンの供給を優先的に行い、ドレン供給ラインからのドレンの供給が不足した場合に新水供給ラインからの新水の供給を行う第１給水モードと、新水供給ラインのみから給水を行う第２給水モードと、の２つの運転モードを有する制御装置を備える。
【先行技術文献】
【特許文献】
【０００４】
【特許文献１】特開２０１７−１４６０７４号公報
【発明の概要】
【発明が解決しようとする課題】
【０００５】
特許文献１に記載されるように水位制御を行うボイラでは、負荷機器の蒸気消費量等に応じて燃焼量が設定され、燃焼量に応じて給水の流量が調節されることがある。この場合、ドレン供給ラインには流量センサが設けられ、流量センサの検出値が燃焼量に応じて定められる目標値になるよう、ドレン流量調節弁の開度をフィードバック制御する。
【０００６】
このような構成を備えるボイラシステムにおいて、第２給水モードから第１給水モードに切り替えられた場合、ボイラに供給されるドレンの流量の目標値がステップ状に増大する。この場合、ドレンの流量がオーバーシュートして一時的に過大となり得る。負荷機器の蒸気消費量が大きいときなど、要求されるドレンの流量が比較的大きいときに第２給水モードから第１給水モードに切り替えると、ドレンの流量が過度に大きくなることによって、ドレン供給ポンプがキャビテーションを起こす可能性がある。一度ドレン供給ポンプがキャビテーションを起こすと、ドレンの流量が低下するため、フィードバック制御によりドレン流量調節弁の開度がさらに増大し、キャビテーションを解消することができなくなる場合がある。
【０００７】
従って、本発明は、ドレン供給ポンプのキャビテーションの発生を抑制できる給水制御装置を提供することを目的とする。
【課題を解決するための手段】
【０００８】
本発明に係る給水制御装置は、蒸気を生成して負荷機器に供給するボイラと、前記負荷機器において蒸気が凝縮して生じたドレンを大気に開放することなく回収するドレンタンクと、前記ドレンタンクに回収された前記ドレンを前記ボイラに供給するドレン供給ラインと、前記ドレン供給ラインに配置され、前記ドレンタンクから前記ドレンを送出するドレン供給ポンプと、前記ドレン供給ラインに配置され、前記ドレンの流れやすさを定める状態量を設定可能な流量調節機構と、前記ドレンの流量を検出する流量検出部と、を備えるボイラシステムの給水を制御する給水制御装置であって、前記流量検出部により検出された流量が設定された流量目標値に近づくように前記流量調節機構の状態量をフィードバック制御する流量制御部を備え、前記流量制御部は、前記流量目標値が変更された場合に、前記流量調節機構の状態量を設定された初期値に合わせてから前記フィードバック制御を開始する。
【０００９】
本発明に係る給水制御装置において、前記流量制御部は、前記流量目標値が変更された場合に、前記ボイラの運転圧力に応じて前記初期値を定めてもよい。
【００１０】
本発明に係る給水制御装置において、前記流量制御部は、前記流量目標値が変更された場合に、前記ボイラの設定燃焼量に応じて前記初期値を定めてもよい。
【００１１】
本発明に係る給水制御装置において、前記流量制御部は、前記ボイラに、前記ドレン供給ラインから前記ドレンを供給せず、前記ボイラに補給水を供給する補給水供給ラインから補給水を供給する状態から、前記ドレン供給ラインから前記ドレンを供給し、前記補給水供給ラインから補給水を供給しない状態に切り替えられた場合に、前記流量調節機構の状態量を前記初期値に合わせてから前記フィードバック制御を開始してもよい。
【発明の効果】
【００１２】
本発明によれば、ドレン供給ポンプのキャビテーションの発生を抑制できる給水制御装置を提供することができる。
【図面の簡単な説明】
【００１３】
【図１】本発明の第１実施形態の給水制御装置を備えるボイラシステムの構成を示す図である。
【図２】本発明の第２実施形態の給水制御装置を備えるボイラシステムの構成を示す図である。
【発明を実施するための形態】
【００１４】
以下、本発明の給水制御装置の好ましい実施形態について、図面を参照しながら説明する。図１は、本発明の第１実施形態に係る給水制御装置２００を備えるボイラシステム１の構成を示す図である。
【００１５】
ボイラシステム１は、ボイラ装置１０と、ドレンタンク２０と、オープンタンク３０と、台数制御装置１００と、本発明の一実施形態に係る給水制御装置２００と、を備える。ボイラシステム１は、ボイラ装置１０により蒸気を生成して蒸気を消費する（熱エネルギーを利用して蒸気を凝縮させる）負荷機器４０に蒸気を供給する。
【００１６】
また、ボイラシステム１は、これらの機器を接続し、蒸気又は水が流通する複数のラインを備える。具体的には、ボイラシステム１は、蒸気供給ラインＬ１、ドレン回収ラインＬ２、ドレン供給ラインＬ３、加圧蒸気ラインＬ４、フラッシュ蒸気ラインＬ５、タンク補給水供給ラインＬ６、及びボイラ補給水供給ラインＬ７を備える。
【００１７】
さらに、ボイラシステム１は、ドレン回収ラインＬ２に設けられるスチームトラップ２１及び逆止弁２２と、ドレン供給ラインＬ３に配設されるドレン供給ポンプ３１、ドレン流量調節弁３２及びドレン流量センサ３３と、加圧蒸気ラインＬ４に設けられる供給圧力調整弁４１と、フラッシュ蒸気ラインＬ５に設けられる排出圧力調整弁５１と、タンク補給水供給ラインＬ６に設けられるタンク給水ポンプ６１及びタンク給水量調節弁６２と、ボイラ補給水供給ラインＬ７に設けられる補給水供給ポンプ７１と、を備える。
【００１８】
ボイラ装置１０は、複数のボイラ１１と、これら複数のボイラ１１で生成された蒸気が集合される蒸気ヘッダ１２と、ボイラ１１と蒸気ヘッダ１２とを連結する連結管１３と、を備える。
【００１９】
複数のボイラ１１は、ドレン供給ラインＬ３から供給されるドレン又はボイラ補給水供給ラインＬ７から供給される補給水を加熱することにより蒸気を生成する。それぞれのボイラ１１は、例えば貫流ボイラ等によって構成することができる。複数のボイラ１１は、協調して動作し、負荷機器４０が消費する蒸気の量と略等しい量の蒸気を生成する。
【００２０】
ボイラ１１は、それぞれ台数制御装置１００からの指示に従って燃焼状態を制御するローカル制御部１５を有する。ローカル制御部１５は、それぞれのボイラ１１が必要とする給水量である流量目標値を給水制御装置２００に指示する。具体的には、ローカル制御部１５は、ボイラ１１内の水位が所定の上限以上となった場合には流量目標値をゼロに設定して給水を停止するよう給水制御装置２００に指示し、ボイラ１１内の水位が所定の下限以下となった場合には流量目標値を所定の値に設定するよう給水制御装置２００に指示するオンオフ制御を行うことができる。この場合、ボイラ１１内の水位が所定の下限以下となった場合にローカル制御部１５が指示する流量目標値は、燃焼量が大きいほど大きい値とすることが好ましい。また、ローカル制御部１５は、例えばドレン供給ラインＬ３にボイラ１１の燃焼排ガスによって給水を加熱するエコノマイザが設けられる場合には、ボイラ１１内の水位が所定の上限以上となった場合に指示する流量目標値を完全にゼロとせず、エコノマイザ内で給水が沸騰することを防止することができる最低限度の値としてもよい。これにより、ボイラ１１内の水位が所定の上限以上となった場合に、最低流量の給水を継続させることができ、エコノマイザ内における給水の沸騰を防止できる。
【００２１】
蒸気ヘッダ１２は、ボイラ１１で生成された蒸気を貯留し、負荷機器４０に供給することにより、蒸気の圧力変動を抑制する。連結管１３は、ボイラ１１で生成された蒸気を蒸気ヘッダ１２に集める。蒸気ヘッダ１２は、内部の蒸気の圧力を検出する圧力センサ１６を有する。
【００２２】
ドレンタンク２０は、耐圧性を有する圧力容器により構成される。このドレンタンク２０は、ボイラ１１により生成された蒸気が負荷機器４０で利用されることで凝縮して生じたドレンを高温高圧の状態で回収する。
【００２３】
ドレンタンク２０には、内部のドレンの水位を検出するドレン水位計２５が配設される。ドレン水位計２５は、筒状の本体と、この本体の内部に配置され、本体内の水位を検出する複数の電極棒と、を備える構成とすることができる。
【００２４】
オープンタンク３０は、大気に開放されている。このオープンタンク３０は、ボイラ１１に供給される補給水を貯留する。また、オープンタンク３０には、ドレンタンク２０においてドレンから発生したフラッシュ蒸気が供給される。
【００２５】
蒸気供給ラインＬ１は、蒸気ヘッダ１２と負荷機器４０とを接続し、複数のボイラ１１で生成された蒸気を負荷機器４０に供給する。
【００２６】
ドレン回収ラインＬ２は、負荷機器４０において蒸気が凝縮して生じるドレンを大気に解放することなくドレンタンク２０に回収する。ドレン回収ラインＬ２において、スチームトラップ２１は、ドレンだけを通過させ、蒸気がドレンタンク２０に流出することを防止する。逆止弁２２は、ドレンが逆流することを防止する。
【００２７】
ドレン供給ラインＬ３は、ドレンタンク２０に回収されたドレンをボイラ装置１０に供給する。ドレン供給ラインＬ３の上流側の端部は、ドレンタンク２０の下部に接続される。ドレン供給ラインＬ３の下流側は、その端部が複数のボイラ１１にそれぞれ接続されるよう複数に分岐している。
【００２８】
ドレン供給ポンプ３１は、ドレン供給ラインＬ３における分岐部分よりも上流側に配置され、ドレンタンク２０から供給されたドレンを昇圧して複数のボイラ１１に送出する。ドレン供給ポンプ３１は、後述する給水制御装置２００によって起動及び停止される。
【００２９】
ドレン流量調節弁３２は、対応するボイラ１１に供給されるドレンの流れやすさを定める状態量である開度を設定可能な流量調節機構である。各ドレン流量調節弁３２は、例えばモータバルブ等によって構成することができる。各ドレン流量調節弁３２は、後で詳しく説明するように、給水制御装置２００によって、対応するボイラ１１の運転状態に応じて適切な量のドレンを供給できるよう個別に制御される。
【００３０】
ドレン流量センサ３３は、対応するボイラ１１に供給されるドレンの流量を検出する流量検出部である。各ドレン流量センサ３３は、例えば質量流量センサ、オリフィス流量センサ等、任意の流量計によって構成することができる。
【００３１】
加圧蒸気ラインＬ４は、ボイラ装置１０から直接ドレンタンク２０に蒸気を供給する。加圧蒸気ラインＬ４に配設される供給圧力調整弁４１は、ドレンタンク２０に供給される蒸気の圧力を設定圧力に保つ。これにより、ドレンタンク２０の圧力が設定圧力より低くなることが防止される。
【００３２】
フラッシュ蒸気ラインＬ５は、ドレンタンク２０の上部空間とオープンタンク３０とを接続する。フラッシュ蒸気ラインＬ５は、ドレンタンク２０の圧力が設定圧力よりも高くなると、排出圧力調整弁５１が開いてドレンタンク２０内の蒸気をオープンタンク３０に排出する。これにより、ドレンタンク２０の圧力が設定圧力より高くなることが防止される。
【００３３】
タンク補給水供給ラインＬ６は、オープンタンク３０とドレンタンク２０とを接続し、オープンタンク３０に貯留された水をドレンタンク２０に供給する。タンク補給水供給ラインＬ６に配設されるタンク給水ポンプ６１は、オープンタンク３０に貯留された水を昇圧して複数のドレンタンク２０に送出する。このタンク給水ポンプ６１は給水制御装置２００によって、ドレン水位計２５が検出するドレンタンク２０の水位を一定の範囲内に保持できるよう起動及び停止される。また、タンク補給水供給ラインＬ６に配設されるタンク給水量調節弁６２は、ドレンタンク２０の圧力に応じて補給水の流量を制限してタンク給水ポンプ６１に背圧を付与する。具体的には、ドレンタンク２０の圧力が設定圧力よりも低い場合には補給水の流量が小さくなるよう開度を小さくすることによって、タンク給水ポンプ６１におけるキャビテーションを防止する。
【００３４】
ボイラ補給水供給ラインＬ７は、オープンタンク３０に貯留する補給水をボイラ装置１０に供給する。ボイラ補給水供給ラインＬ７の上流側の端部は、オープンタンク３０の下部に接続される。ボイラ補給水供給ラインＬ７の下流側は、その端部が複数のボイラ１１にそれぞれ接続されるよう複数に分岐している。ドレン供給ラインＬ３からの給水が不足する場合に、ボイラ補給水供給ラインＬ７を通じて補給水がボイラ装置１０に供給される。
【００３５】
補給水供給ポンプ７１は、ボイラ補給水供給ラインＬ７の下流側に、各ボイラ１１に対応するようそれぞれ複数設けられる。
【００３６】
補給水供給ポンプ７１は、オープンタンク３０から供給された補給水を昇圧して対応するボイラ１１に送出する。補給水供給ポンプ７１は、速度調節可能であり、例えばインバータ（周波数変換器）７２によって駆動される電動ポンプ等によって構成することができる。インバータ７２の出力周波数は、給水制御装置２００によって制御される。
【００３７】
台数制御装置１００は、負荷機器４０の蒸気使用量に合わせて各ボイラ１１の燃焼状態（運転／停止、及び運転時の燃焼量を含む）を決定する。具体的には、台数制御装置１００は、蒸気ヘッダ１２の圧力センサ１６の検出値を略一定に保持するために必要とされる蒸気生成量を算出し、ボイラ１１の運転台数及び燃焼量を決定する。
【００３８】
台数制御装置１００は、台数制御装置１００、例えばＣＰＵ、メモリ等を有するコンピュータ装置に適切なプログラムを導入することによって実現することができる
【００３９】
給水制御装置２００は、例えばＣＰＵ、メモリ等を有するコンピュータ装置に適切なプログラムを導入することによって実現することができる。また、給水制御装置２００は、台数制御装置１００やローカル制御部１５と一体と構成されてもよい。
【００４０】
給水制御装置２００は、ドレンタンク２０及びオープンタンク３０からボイラ装置１０への給水を制御する。この給水制御装置２００は、ドレン供給ラインＬ３による給水及びボイラ補給水供給ラインＬ７による給水のいずれか一方又は両方を選択する給水選択部２１０と、ドレン供給ラインＬ３を用いたボイラ装置１０へのドレンの供給流量を制御するドレン流量制御部２２０と、ボイラ補給水供給ラインＬ７を用いたボイラ装置１０への補給水の供給流量を制御する補給水流量制御部２３０と、を備える。給水制御装置２００において、給水選択部２１０、ドレン流量制御部２２０及び補給水流量制御部２３０は、機能的に区別されるものであって、物理的構成及びプログラム構成において明確に区分できなくてもよい。
【００４１】
給水選択部２１０は、ドレン供給ラインＬ３からの給水と、ボイラ補給水供給ラインＬ７からの給水との選択によって、ボイラ１１への給水を行う。
【００４２】
ドレン流量制御部２２０は、給水選択部２１０によりドレン供給ラインＬ３からの給水が選択された場合、ドレン流量センサ３３により検出された流量が設定された流量目標値に近づくように対応するドレン流量調節弁３２の開度をフィードバック制御する。また、ドレン流量制御部２２０は、ローカル制御部１５から指示される給水量、ひいてはそれにより決定されるドレン流量目標値が変更された場合に各ドレン流量調節弁３２の開度を予め設定された初期値に合わせてからフィードバック制御を開始する。
【００４３】
ドレン流量制御部２２０は、ドレン流量目標値が変更された場合に、ドレン流量調節弁３２の開度を運転条件に応じて設定される初期値に合致する開度としてからフィードバック制御を開始するので、フィードバック制御を開始する時点でのドレン流量センサ３３の検出値のドレン流量目標値に対する偏差を小さくすることができる。ドレン流量制御部２２０は、ドレン流量調節弁３２からの開度情報のフィードバックを確認してドレン流量調節弁３２の開度が初期値と等しくなったことを確認してからフィードバック制御を開始してもよく、ドレン流量調節弁３２に初期値を指示する信号を出力してからドレン流量調節弁３２が動作するために必要な時間が経過したときにフィードバック制御を開始してもよい。
【００４４】
つまり、ボイラシステム１において、一度ドレン供給ポンプ３１にキャビテーションが発生すると、ドレンの流量が非常に小さくなるため、ドレン流量調節弁３２の開度がさらに大きくなり、キャビテーションを解消できなくなるおそれがある。しかしながら、ドレン流量制御部２２０は、ドレン流量調節弁３２の開度を予め設定される初期値に合わせてからフィードバック制御を開始するので、フィードバック制御開始時にドレン供給ポンプ３１の流量がオーバーシュートして一時的に過大となることによるキャビテーションの発生を防止できる。これによって、ボイラシステム１は、ドレン供給ポンプ３１のキャビテーションの発生を防止して、各ボイラ１１を適切に運転することができる。
【００４５】
各ドレン流量調節弁３２の開度の初期値は、常に一定の値であってもよいが、予め定めた方法によって、対応するボイラ１１の運転圧力（蒸気圧力）に応じて設定される値とすることが好ましい。具体的には、ボイラ１１の運転圧力が大きいほどドレン流量調節弁３２の開度を大きくすることが好ましい。ドレン供給ポンプ３１に対する背圧として作用するボイラ１１の運転圧力に応じて、ドレン流量調節弁３２の開度の初期値を設定することによって、流量のオーバーシュートをより確実に抑制することができるので、ドレン供給ポンプ３１のキャビテーションをより確実に防止することができる。各ドレン流量調節弁３２の開度の初期値は、ボイラ１１の運転圧力の関数として設定されてもよく、ボイラ１１の運転圧力の区分に対応する値を定めた対応表を参照して設定されてもよい。
【００４６】
また、各ドレン流量調節弁３２の開度の初期値は、対応するボイラ１１の設定燃焼量に応じて予め設定される値としてもよい。具体的には、ボイラ１１の燃焼量が大きいほどドレン流量調節弁３２の開度を大きくすることが好ましい。ボイラ１１の設定燃焼量に応じてドレン流量調節弁３２の開度の初期値を設定することによって、フィードバック制御開始時から制御が安定した状態に近い流量のドレンをボイラ１１に供給することができる。このため、フィードバック制御開始直後に通常の制御によってローカル制御部１５が流量目標値を変更した場合であっても、変更後のドレン流量目標値に対する実際のドレン流量の偏差が過大となることによる流量のオーバーシュートを抑制して、ドレン供給ポンプ３１のキャビテーションを防止することができる。
【００４７】
各ドレン流量調節弁３２の開度の初期値は、ボイラ１１の運転圧力及び設定燃焼量の一方のみに応じて設定されてもよいが、ボイラ１１の運転圧力及び設定燃焼量の両方に応じて設定することが好ましい。この場合、各ドレン流量調節弁３２の開度の初期値は、ボイラ１１の運転圧力及び設定燃焼量の関数（２変数関数）として設定されてもよいが、ボイラ１１の運転圧力の区分及び設定燃焼量に対応する値を定めた二次元の対応表を参照して設定されてもよい。
【００４８】
ドレン流量制御部２２０は、ボイラ１１にドレン供給ラインＬ３からドレンを供給せず、ボイラ１１にボイラ補給水供給ラインＬ７から補給水を供給する状態から、ドレン供給ラインＬ３からドレンを供給し、ボイラ補給水供給ラインＬ７から補給水を供給しない状態に切り替えられた場合に、ドレン流量調節弁３２の開度を初期値に設定してからフィードバック制御を開始することが好ましい。ドレン供給ラインＬ３のドレン流量目標値が比較的段差の大きいステップ状に変化する場合にはドレン供給ポンプ３１のキャビテーションが特に発生しやすいため、このような場合にドレン流量調節弁３２の開度を初期値に設定することによって、ドレン供給ポンプ３１のキャビテーションを効果的に防止することができる。
【００４９】
補給水流量制御部２３０は、給水選択部２１０によりボイラ補給水供給ラインＬ７からの給水が選択された場合、ボイラ補給水供給ラインＬ７から各ボイラ１１への補給水の供給を制御する。
【００５０】
以上のように、ボイラシステム１において、給水制御装置２００のドレン流量制御部２２０は、ドレン流量目標値が変更された場合にドレン流量調節弁３２の開度を予め設定された初期値に合わせてからフィードバック制御を開始するので、フィードバック制御を開始する時点でのドレン流量センサ３３の検出値のドレン流量目標値に対する偏差を小さくして、フィードバック制御におけるオーバーシュートを抑制してドレン供給ポンプ３１のキャビテーションを防止することができる。
【００５１】
続いて、図２に、本発明の第２実施形態に係る給水制御装置２００Ａを備えるボイラシステム１Ａの構成を示す。ボイラシステム１は、ボイラ装置１０と、ドレンタンク２０と、オープンタンク３０と、台数制御装置１００と、本発明の一実施形態に係る給水制御装置２００Ａと、を備える。ボイラシステム１Ａは、ボイラ装置１０により蒸気を生成して蒸気を消費する負荷機器４０に蒸気を供給する。また、ボイラシステム１Ａは、蒸気供給ラインＬ１、ドレン回収ラインＬ２、ドレン供給ラインＬ３Ａ、加圧蒸気ラインＬ４、フラッシュ蒸気ラインＬ５、タンク補給水供給ラインＬ６、及びボイラ補給水供給ラインＬ７を備える。さらに、ボイラシステム１Ａは、ドレン回収ラインＬ２に設けられるスチームトラップ２１及び逆止弁２２と、ドレン供給ラインＬ３Ａに複数配設されるドレン供給ポンプ３１Ａ及びドレン流量センサ３３と、加圧蒸気ラインＬ４に設けられる供給圧力調整弁４１と、フラッシュ蒸気ラインＬ５に設けられる排出圧力調整弁５１と、タンク補給水供給ラインＬ６に設けられるタンク給水ポンプ６１及びタンク給水量調節弁６２と、ボイラ補給水供給ラインＬ７に複数設けられる補給水供給ポンプ７１と、を備える。図２のボイラシステム１Ａにおいて、図１のボイラシステムと同じ構成要素には同じ符号を付して重複する説明を省略する。
【００５２】
ドレン供給ラインＬ３Ａは、ドレンタンク２０に回収されたドレンをボイラ装置１０に供給する。ドレン供給ラインＬ３Ａの上流側の端部は、ドレンタンク２０の下部に接続される。ドレン供給ラインＬ３の下流側は、その端部が複数のボイラ１１にそれぞれ接続されるよう複数に分岐している。ドレン供給ポンプ３１Ａ及びドレン流量センサ３３は、ドレン供給ラインＬ３における分岐部分よりも下流側に、それぞれのボイラ１１に対応して配置される。
【００５３】
ドレン供給ポンプ３１Ａは、速度調節可能であり、例えばインバータ（周波数変換器）３６によって駆動される電動ポンプ等によって構成することができる。ドレン供給ポンプ３１Ａにおけるインバータ３４の出力周波数は、ドレンの流れやすさを定める状態量である。つまり、インバータ３４は、ドレン供給ラインＬ３Ａに配置され、ドレンの流れやすさを定める状態量である出力周波数を設定可能な流量調節機構である。
【００５４】
ドレン流量制御部２２０Ａは、ドレン流量センサ３３により検出された流量が設定された流量目標値に近づくように対応するドレン供給ポンプ３１Ａの速度（インバータ３４の出力周波数）をフィードバック制御する。また、ドレン流量制御部２２０は、ローカル制御部１５から指示される給水量により決定されるドレン流量目標値が変更された場合に各ドレン供給ポンプ３１Ａの速度を予め設定された初期値に合わせてからフィードバック制御を開始する。つまり、図２のボイラシステム１Ａにおける給水制御装置２００Ａのドレン流量制御部２２０Ａは、その制御対象を、図１のボイラシステム１における給水制御装置２００のドレン流量制御部２２０におけるドレン流量調節弁３２の開度からドレン供給ポンプ３１Ａの速度に変更したものであり、その制御内容は同様とすることができる。
【００５５】
図２のボイラシステム１Ａでは、給水制御装置２００Ａのドレン流量制御部２２０Ａが、ドレン流量目標値が変更された場合にドレン供給ポンプ３１Ａの速度を予め設定された初期値に合わせてからフィードバック制御を開始するので、フィードバック制御を開始する時点でのドレン流量センサ３３の検出値のドレン流量目標値に対する偏差を小さくして、フィードバック制御におけるオーバーシュートを抑制してドレン供給ポンプ３１Ａのキャビテーションを防止することができる。
【００５６】
以上、本発明の給水制御装置の好ましい各実施形態について説明したが、本発明は、上述した実施形態に制限されるものではなく、適宜変更が可能である。
【００５７】
例えば、第１実施形態及び第２実施形態では、ボイラシステム１，１Ａは、３台のボイラ１１を有するボイラ装置１０を備える構成としたが、本発明の給水制御装置は、１台若しくは２台又は４台以上のボイラを有するボイラ装置を備えるボイラシステムにも適用することができる。
【００５８】
また、第１実施形態における加圧蒸気ラインＬ４、フラッシュ蒸気ラインＬ５、タンク補給水供給ラインＬ６は、それぞれ任意の構成であって省略することができる。
【００５９】
上述の実施形態において、流量目標値は、ボイラ１１の水位が所定の上限以上となった場合のゼロ又は最低流量と、ボイラ１１の水位が所定の下限以下となった場合の所定値の２つの値のいずれかとされたが、流量目標値は、ボイラ１１の水位を一定に保つよう、例えば設定水位と実際の水位との偏差に基づくフィードバック制御等によって、連続的に変化してもよい。
【００６０】
上述の実施形態において、給水選択部２１０は、ドレン供給ラインＬ３からのドレンの給水とボイラ補給水供給ラインＬ７からの補給水の給水とのいずれかを選択するが、給水選択部２１０は、ドレン供給ラインＬ３からのドレンの給水とボイラ補給水供給ラインＬ７からの補給水の給水とを同時に行ってもよい。この場合、給水選択部２１０は、ローカル制御部１５から指示された各ボイラ１１への給水量を、ドレン供給ラインＬ３のドレンの流量の目標値（ドレン流量目標値）とボイラ補給水供給ラインＬ７の補給水の流量の目標値（補給水流量目標値）とに振り分けるよう構成することができる。
【００６１】
上述の実施形態において、ボイラ補給水供給ラインＬ７には、速度調節可能な補給水供給ポンプ７１が配設されているが、ドレン供給ラインＬ３と同様に、ボイラ補給水供給ラインＬ７における分岐部分よりも上流側に補給水供給ポンプを配置し流量調節弁によって流量を制御する構成としてもよい。
【符号の説明】
【００６２】
１，１Ａ  ボイラシステム
１０  ボイラ装置
１１  ボイラ
２０  ドレンタンク
３０  オープンタンク
３１，３１Ａ  ドレン供給ポンプ
３２  ドレン流量調節弁（流量調節機構）
３３  ドレン流量センサ（流量検出部）
３４  インバータ（流量調節機構）
４０  負荷機器
２００，２００Ａ  給水制御装置
２１０  給水選択部
２２０，２２０Ａ  ドレン流量制御部
２３０  補給水流量制御部
Ｌ１  蒸気供給ライン
Ｌ２  ドレン回収ライン
Ｌ３，Ｌ３Ａ  ドレン供給ライン
Ｌ７  ボイラ補給水供給ライン
【図１】
2020165614.tif 000003
【図２】
2020165614.tif 000004